(57)【要約】【課題】シャープペンシル用の芯２を収納する替芯ケースにおいて、収納された芯２がなくなった場合に、本体１および口金７を廃棄することなくノック式シャープペンシルの部品として再利用できる替芯ケースを提供する。【解決手段】替芯ケースの本体１から固定部材３、蓋体４および栓体６を外し、付属の芯ガイド１３を口金７内に挿入するとともに、本体１内に機構部を挿入し、口金７と本体１により機構部を取り付けるとともに、機構部の芯タンク１１にノブ１５を嵌合すればノック式シャープペンシルとなり、本体１、口金７および軟質部材５をノック式シャープペンシルの部品として再利用できる。【選択図】        図１
2006056028.tif 000002
【特許請求の範囲】
【請求項１】
シャープペンシル用の芯を収納した替芯ケースにおいて、筒状の本体と、本体の後部に着脱可能に取り付けられる固定部材と、固定部材に形成された芯出口を開閉するために固定部材に取り付けられる蓋体と、本体の前部に着脱可能に取り付けられる栓体と、本体の前部に着脱可能に螺合される略円錐形に形成された口金とからなり、本体に芯が収納可能でかつ長手方向に貫通した内孔を形成し、かつ、口金の先端に開口孔を形成したことを特徴とする替芯ケース。
【請求項２】
本体の後部に係止孔を形成するとともに、固定部材に切溝により弾性部を形成し、この弾性部に係止突起を形成し、係止突起を前記係止孔に係合して本体に固定部材を着脱可能に取り付けたことを特徴とする請求項１記載の替芯ケース。
【請求項３】
シャープペンシル用の芯を収納する替芯ケースにおいて、筒状の本体と、本体の芯出口を閉じる為に本体の後部に着脱可能に取り付けられる蓋体と、本体の前部に着脱可能に取り付けられる栓体と、本体の前部に着脱可能に螺合される略円錐形に形成された口金とからなり、本体に芯が収納可能でかつ長手方向に貫通した内孔を形成し、かつ、口金の先端に開口孔を形成したことを特徴とする替芯ケース。
【請求項４】
本体の前部に細径部を形成し、この細径部に筒状の軟質部材を被せるとともに、この軟質部材を口金と本体の段部により挟持したことを特徴とする請求項１乃至３のいずれか１項に記載の替芯ケース。
【請求項５】
本体の前部に係止内段を形成するとともに、栓体の前部を複数に分割し、この前部に係止突起を形成し、栓体の係止突起を前記本体の係止内段に着脱可能に取り付けたことを特徴とする請求項１乃至４のいずれか１項に記載の替芯ケース。
【発明の詳細な説明】
【技術分野】
【０００１】
本発明は、シャープペンシル用の芯を収納した替芯ケースに関する。
【背景技術】
【０００２】
従来、シャープペンシル用の芯を収納した替芯ケースは、合成樹脂製の薄い長方形をした本体や円筒形の本体に蓋体を取り付け、蓋体の一部を作動させたり蓋体を回動して芯出口を開閉していた。（特許文献１参照）また、本体に蓋体を着脱して芯出口を開閉していた。（特許文献２参照）
【特許文献１】特開２００３−２１１８９３号公報
【特許文献２】特開２００１−１６２９８３号公報（段落００２０）
【発明の開示】
【発明が解決しようとする課題】
【０００３】
上記したような従来一般的に市販されている替芯ケースは、収納された芯がなくなった場合には廃棄しなければならず、廃棄物の発生量が増加してしまうものであった。
【課題を解決するための手段】
【０００４】
本発明は、シャープペンシル用の芯を収納する替芯ケースにおいて、筒状の本体と、本体の後部に着脱可能に取り付けられる固定部材と、固定部材に形成された芯出口を開閉するために固定部材に取り付けられる蓋体と、本体の前部に着脱可能に取り付けられる栓体と、本体の前部に着脱可能に螺合される略円錐形に形成された口金とからなり、本体に芯が収納可能でかつ長手方向に貫通した内孔を形成し、かつ、口金の先端に芯ガイドが突出可能な開口孔を形成したことを第１の要旨とする。
【０００５】
また、本体の後部に係止孔を形成するとともに、固定部材に切溝により弾性部を形成し、この弾性部に係止突起を形成し、係止突起を前記係止孔に係合して本体に固定部材を着脱可能に取り付けたことを第２の要旨とする。
【０００６】
更に、シャープペンシル用の芯を収納する替芯ケースにおいて、筒状の本体と、本体の芯出口を閉じる為に本体の後部に着脱可能に取り付けられる蓋体と、本体の前部に着脱可能に取り付けられる栓体と、本体の前部に着脱可能に螺合される略円錐形に形成された口金とからなり、本体に芯が収納可能でかつ長手方向に貫通した内孔を形成し、かつ、口金の先端に芯ガイドが突出可能な開口孔を形成したことを第３の要旨とする。
【０００７】
更にまた、本体の前部に細径部を形成し、この細径部に筒状の軟質部材を被せるとともに、この軟質部材を口金と軸筒の段部により挟持したことを第４の要旨とする。
【０００８】
更にまた、本体の前部に係止内段を形成するとともに、栓体の前部を複数に分割し、この前部に係止突起を形成し、栓体の係止突起を前記本体の係止内段に着脱可能に取り付けたことを第５の要旨とする。
【発明の効果】
【０００９】
本発明の替芯ケースは、本体から固定部材、蓋体および栓体といった部品を外し、替芯ケースに付属された機構部、芯ガイドおよびノブを取り付ければノック式シャープペンシルとして使用することができる。したがって、替芯ケースの本体および口金を廃棄しなくても良いという利点がある。
【発明を実施するための最良の形態】
【００１０】
替芯ケースの本体から固定部材、蓋体および栓体といった部品を外せばノック式シャープペンシルの本体および口金として利用できる替芯ケースを実現した。
【実施例１】
【００１１】
図１、図２、図３、図４、図５および図６により本発明の実施例１の替芯ケースを説明する。尚、図１の左側を下方とし、右側を上方とする。本体１に芯２が収納可能でかつ長手方向に貫通した内孔１Ａを形成し、この円筒状の本体１の下部に係止内段１Ｂを形成するとともに、後部に係止孔１Ｃを形成する。更に、本体１の前部に細径部１Ｄを形成するとともに、後部に隆起部１Ｅを形成し、この隆起部１Ｅに貫通孔１Ｆを形成する。この本体１の係止孔１Ｃと対向する位置に後端より適宜長手方向前方に伸びて突部１Ｇを形成する。また本体１の貫通孔１Ｆより右に９０度ずれた内面にキー溝１Ｈを形成する。固定部材３は、長手方向に並列に切溝３Ａを形成して弾性部３Ｂを構成し、この弾性部３Ｂに前端が傾斜した係止突起３Ｃを形成する。この固定部材３は、下端が開口するとともに上端面３Ｄに芯出口３Ｅを形成し、この上端面３Ｄの略４分の１位の面積でかつ中心から９０度の角度でわずかに凹んだ凹部３Ｆを形成する。また、固定部材３には係止突起３Ｃより右に９０度ずれた位置にキー３Ｇを形成する。
【００１２】
この固定部材３を本体１の後端より挿入し、固定部材３のキー３Ｇを本体１のキー溝１Ｈに係合させるとともに、固定部材３の係止突起３Ｃを本体１の係止孔１Ｃに嵌合させる。したがって、固定部材３は回動することなく本体１に固定されるが、係止突起３Ｃを係止孔１Ｃより外せば固定部材３を外すことができる。この固定部材３の後部を本体１の後端より突出し、この後部に係合突起３Ｈを形成するとともに、その後方の円周上に凹条３Ｉを形成する。
【００１３】
蓋体４は、下端が開口されるとともに上端が閉鎖されて天面４Ａが形成される。この天面４Ａに開口孔４Ｂが形成されるとともに、天面４Ａ内側には開口孔４Ｂと中心軸を基点として対向する位置に係合突部４Ｃを形成する。この蓋体４の内面には円周上に伸びた固定突条４Ｄを形成する。更に、蓋体４の下端部内側に前記開口孔４Ｂと中心軸を基点として対向する位置に閉鎖用係合凹部４Ｅを形成し、かつ、閉鎖用係合凹部４Ｅと左に９０度ずれた位置に開口用係合凹部４Ｆを形成する。更に、蓋体４の外周面には、開口孔４Ｂ側に下端より長手方向に長く伸びた開口用突部４Ｇを形成するとともに、開口用突部４Ｇと右に９０度ずれた位置に、下端より長手方向に短く伸びた閉鎖用突部４Ｈを形成する。
【００１４】
この蓋体４を前記固定部材３の後部に被せ、蓋体４の固定突条４Ｄを固定部材３の凹条３Ｉに係合させる。また、蓋体４の閉鎖用係合凹部４Ｅを固定部材３の係合突起３Ｈに係合する。すると本体１の突部１Ｇと蓋体４の閉鎖用突部４Ｈが合致され、固定部材３の芯出口３Ｅが蓋体４の天面４Ａにより閉鎖される。しかも、蓋体４の天面４Ａ内側に形成された係合突部４Ｃが固定部材３の上端面３Ｄに形成された凹部３Ｆに位置し、しかも係合突部４Ｃが凹部３Ｆの左回転方向側の縁３Ｊに当接されて左方向への回転が規制されている。
【００１５】
この本体１の細径部１Ｄにゴム製の軟質部材５を被せる。この軟質部材５は円筒形で中間部の外径が両端部より細径に形成されている。更に、本体１の内孔１Ａ内にシャープペンシル用の芯２が収納され、この本体１の下部貫通孔１Ｉを閉鎖するための栓体６が着脱可能に取り付けられる。この栓体６は、上端の栓部６Ａより２つの弾性片６Ｂが下方に伸びて形成され、それぞれの弾性片６Ｂに係止突起６Ｃが形成される。この係止突起６Ｃは上方に行くにしたがって傾斜した斜面が形成されるとともに、更に、下方にストッパー部６Ｄが形成されている。この栓体６が本体１の下方より挿入されて、係止突起６Ｃが本体１の係止内段１Ｂに係止される。したがって、本体１の下部貫通孔１Ｉが閉鎖されるとともに弾性片６Ｂが本体１の下端より適宜突出して取り付けられる。また、栓体６のストッパー部６Ｄが本体１の下端に当接される。更に、軟質部材５より下方に突出した本体１の雄ねじ部１Ｊに略円錐状の口金７が着脱可能に螺合される。また、口金７の内段７Ａと本体１の下端との間が適宜離間して構成されるとともに、口金７の先端に開口孔７Ｂを形成する。しかも、前記軟質部材５は、口金７の後端と本体１の段部１Ｋの間に挟持される。
【００１６】
上記実施例１の替芯ケースにおいて、芯出口３Ｅを開くためには、左手で軟質部材５を保持し、右手で蓋体４を右回転させると、蓋体４の閉鎖用係合凹部４Ｅが固定部材３の係合突起３Ｈより外れ、蓋体４の開口用係合凹部４Ｆが固定部材３の係合突起３Ｈに係合される。また、蓋体４の係合突部４Ｃが固定部材３の凹部３Ｆの右回転方向側の縁３Ｋに当接して蓋体４の右回転が止められる。すると、本体１の突部１Ｇと蓋体４の開口用突部４Ｇが合致し、固定部材３の芯出口３Ｅと蓋体４の開口孔４Ｂが合わされて芯出口３Ｅが開口され、図７、図８、図９および図１０に示した状態となる。尚、使用者は芯出口３Ｅを覗き込んで確認しなくても、本体１の突部１Ｇと蓋体４の開口用突部４Ｇが合致した状態を見れば芯出口３Ｅが開口している事が判断できる。この状態で替芯ケースの芯出口３Ｅを下に向ければ、数本の芯２が落下して芯出口３Ｅより取り出せる。
【００１７】
次に、替芯ケースの芯出口３Ｅを上に向けた後、左手で軟質部材５を保持し、右手で蓋体４を左に回転すれば、蓋体４の開口用係合凹部４Ｆが固定部材３の係合突起３Ｈより外れ、蓋体４の閉鎖用係合凹部４Ｅが固定部材３の係合突起３Ｈに係合される。また、蓋体４の係合突部４Ｃが固定部材３の凹部３Ｆの左回転方向側の縁３Ｊに当接して蓋体４の左回転が止められる。すると、本体１の突部１Ｇと蓋体４の閉鎖用突部４Ｈが合致し、固定部材３の芯出口３Ｅが蓋体４の天面４Ａによって閉じられ、図１、図２、図３、図４、図５、および図６に示した状態に復帰する。尚、使用者は芯出口３Ｅを覗き込んで確認しなくても、本体１の突部１Ｇと蓋体４の閉鎖用突部４Ｈが合致した状態を見れば芯出口３Ｅが閉鎖されている事が判断できる。
【００１８】
尚、上記実施例１の替芯ケースは、収納された芯２が使い終わった場合には、本体１から口金７を外した後、栓体６の弾性片６Ｂを内方に撓ませて、係止突起６Ｃを本体１の係止内段１Ｂから外し、本体１から栓体６を取り出す。また、本体１の係止孔１Ｃに嵌合された固定部材３の係止突起３Ｃを外方から押圧して外し、固定部材３を本体１から後方に取り出す。蓋体４も固体部材３に取り付けられた状態で本体１から外される。
【００１９】
次に、チャック８、締リング９、ワッシャー１０、芯タンク１１およびスプリング１２からなる機構部を本体１の前方より挿入する。また、口金７内に芯ガイド１３および芯ガイド１３に固定された合成樹脂製の芯ホルダー１４を挿入し、口金７の開口孔７Ｂより芯ガイド１３が突出するとともに、芯ホルダー１４が口金７の内面に適度の摩擦抵抗で嵌合される。尚、この芯ホルダー１４は芯２とも適度の摩擦抵抗で接触する。尚、図示していないが芯ホルダー１４はゴムで構成しても良い。この口金７を前記本体１の雄ねじ部１Ｊに螺合し、口金７の内段７Ａと本体１の下端によりワッシャー１０を挟持する。更に、芯タンク１１の後部にノブ１５を着脱可能に嵌合する。このノブ１５は本体１の後端より適宜突出させる。すると、図１１に示したノック式シャープペンシルとなり、替芯ケースの本体１と軟質部材５および口金７がリサイクル利用できる。
【００２０】
このノック式シャープペンシルは、本体１の後端より突出したノブ１５を押圧することによりチャック８が前進して芯２が繰り出される。また、芯タンク１１内に芯２を挿入する場合にはノブ１５を外して芯タンク１１の後端より芯２を挿入する。
【００２１】
また、本体１に形成された隆起部１Ｅの貫通孔１Ｆは、チェーンや紐を取り付けることによりキーホルダーや携帯電話用ストラップとして利用する為のものである。
【００２２】
更に、本体１の細径部１Ｄに被せられる軟質部材５を透明性を有するように構成すれば、本体１の細径部１Ｄと軟質部材５の間にシール等の加飾物を取り付けることも可能である。
【実施例２】
【００２３】
図１２により本発明の実施例２の替芯ケースを説明する。尚、図１と同一の部材は同一の符号を付してその説明を省略する。固定部材１０３の上端が開口して芯出口１０３Ｅを形成する。この固定部材１０３の芯出口１０３Ｅを閉じるために固定部材１０３の上部に蓋体１０４を着脱可能に嵌合する。この時、固定部材１０３の上部に形成した凹溝１０３Ｌに蓋体１０４の内方突起１０４Ｉが係合される。この蓋体１０４は、天面１０４Ａが閉じられて形成されると共に外面に滑り止め用の突条１０４Ｊが複数形成されている。尚、本体１、軟質部材５および口金７をノック式シャープペンシルに利用する方法は実施例１と同様である。
【実施例３】
【００２４】
図１３により本発明の実施例３の替芯ケースを説明する。尚、図１と同一の部材は同一の符号を付してその説明を省略する。本体１０１に芯２が収納可能でかつ長手方向に貫通した内孔１０１Ａを形成し、この円筒形の本体１０１の後部を開口して芯出口１０１Ｌを形成する。また、蓋体２０４の前部２０４Ｋには両側に開口した切欠部２０４Ｌが形成されるとともに両側に対向して突部２０４Ｍが形成される。この蓋体２０４の前部２０４Ｋが本体１０１の後部に挿入され、蓋体２０４の突部２０４Ｍが本体１０１の後部内面に摩擦接触して、本体１０１に蓋体２０４が着脱可能に取り付けられる。したがって、本体１０１の芯出口１０１Ｌが蓋体２０４の前部２０４Ｋによって閉じられる。尚、本体１０１から栓体６および蓋体２０４を外し、本体１０１、軟質部材５および口金７をノック式シャープペンシルに利用する方法は実施例１と同様である。
【産業上の利用可能性】
【００２５】
本体および口金を廃棄することなくノック式シャープペンシルの部品としてリサイクル利用できる替芯ケースに適用できる。
【図面の簡単な説明】
【００２６】
【図１】本発明の実施例１の替芯ケースを示す縦断面図である。（実施例１）
【図２】本発明の実施例１の替芯ケースを示す主要部正面図である。（実施例１）
【図３】図１のＡ−Ａ線を示す縦断面図である。（実施例１）
【図４】図１のＢ−Ｂ線を示す断面図である。（実施例１）
【図５】図１のＣ−Ｃ線を示す断面図である。（実施例１）
【図６】図５のＤ−Ｄ線を示す主要部断面図である。（実施例１）
【図７】本発明の実施例１の替芯ケースにおいて芯出口を開いた状態を示す主要部正面図である。（実施例１）
【図８】図７のＥ−Ｅ線を示す主要部断面図である。（実施例１）
【図９】図８のＦ−Ｆ線を示す断面図である。（実施例１）
【図１０】図８のＧ−Ｇ線を示す断面図である。（実施例１）
【図１１】本発明の実施例１の替芯ケースをノック式シャープペンシルに利用した状態を示す縦断面図である。（実施例１）
【図１２】本発明の実施例２の替芯ケースを示す縦断面図である。（実施例２）
【図１３】本発明の実施例３の替芯ケースを示す縦断面図である。（実施例３）
【符号の説明】
【００２７】
１  本体
１Ａ  本体１の内孔
１Ｂ  本体１の係止内段
１Ｃ  本体１の係止孔
１Ｄ  本体１の細径部
１Ｋ  本体１の段部
２  芯
３  固定部材
３Ａ  固定部材３の切溝
３Ｂ  固定部材３の弾性部
３Ｃ  固定部材３の係止突起
３Ｅ  固定部材３の芯出口
４  蓋体
５  軟質部材
６  栓体
６Ｃ  栓体６の係止突起
７  口金
７Ａ  口金７の内段
７Ｂ  口金７の開口孔
１３  芯ガイド
１０１  本体
１０１Ａ  本体１０１の内孔
１０１Ｌ  本体１０１の芯出口
１０３  固定部材
１０３Ｅ  固定部材１０３の芯出口
１０４  蓋体
２０４  蓋体
【図１】
2006056028.tif 000003
【図２】
2006056028.tif 000004
【図３】
2006056028.tif 000005
【図４】
2006056028.tif 000006
【図５】
2006056028.tif 000007
【図６】
2006056028.tif 000008
【図７】
2006056028.tif 000009
【図８】
2006056028.tif 000010
【図９】
2006056028.tif 000011
【図１０】
2006056028.tif 000012
【図１１】
2006056028.tif 000013
【図１２】
2006056028.tif 000014
【図１３】
2006056028.tif 000015